(57)【要約】      （修正有）【課題】操作者の使い勝手のよい電子血圧計を提供する。【解決手段】カフを加圧するモードとして自動加圧モードと手動加圧モードとを有する血圧計において、手動加圧モードでの加圧が行なわれている際、表示画面の領域Ａ２にその旨を表わすマークを表示する。現在の加圧制御モードを報知することで、特に、加圧制御モードを切り替えるためのスイッチが備えられておらず他の操作のためのスイッチと兼用されている血圧計において、操作者の使い勝手を向上させることができる。【選択図】図５
2011101735.tif 000002
【特許請求の範囲】
【請求項１】
操作を受け付けるための操作手段と、
流体袋と、
前記流体袋を加減圧するための調整手段と、
前記流体袋の内圧変化に基づいて血圧値を算出する演算を行なうための演算手段と、
報知手段と、
前記調整手段と、前記調整手段で前記流体袋を加減圧しているときの前記報知手段での報知とを制御するための制御手段とを備え、
前記制御手段は、前記調整手段での前記流体袋の加圧を制御するための制御モードとして第１の制御モードと第２の制御モードとを有して選択的にいずれか一方の制御モードで前記調整手段での加圧を制御し、
前記制御手段は、前記第１の制御モードと前記第２の制御モードとのうちの少なくとも一方の制御モードについて、当該制御モードで前記調整手段での加圧を制御している際にその旨を前記報知手段で報知させる、電子血圧計。
【請求項２】
前記第１の制御モードは、前記操作手段で動作開始の操作を受け付けることによって、前記調整手段で自動的に予め規定された圧力まで第１の加圧速度で前記流体袋の内圧を加圧させる制御モードであり、
前記第２の制御モードは、前記調整手段で、前記操作手段で受け付けた操作によって指定される圧力まで第２の加圧速度で前記流体袋の内圧を加圧させる制御モードである、請求項１に記載の電子血圧計。
【請求項３】
前記制御手段は、前記第２の制御モードで前記調整手段での加圧を制御している際にその旨を前記報知手段で報知させる、請求項２に記載の電子血圧計。
【請求項４】
前記制御手段は、前記第２の制御モードで前記調整手段での加圧を制御している際に、その旨と共に、記憶されている圧力値を推奨する圧力値として前記報知手段で報知させる、請求項２に記載の電子血圧計。
【請求項５】
前記第２の加圧速度は前記第１の加圧速度よりも遅い、請求項２〜４のいずれかに記載の電子血圧計。
【請求項６】
前記第２の加圧速度は前記第１の加圧速度よりも速い、請求項２〜４のいずれかに記載の電子血圧計。
【請求項７】
前記制御手段は、前記調整手段での加圧が前記第１の制御モードで制御された前記流体袋の内圧変化に基づいて前記演算手段での血圧値の算出がエラーであったときに、次回の制御モードとして前記第２の制御モードを記憶する、請求項２〜６のいずれかに記載の電子血圧計。
【発明の詳細な説明】
【技術分野】
【０００１】
この発明は電子血圧計に関し、特に、使い勝手のよい電子血圧計に関する。
【背景技術】
【０００２】
血圧は循環器疾患を解析する指標の一つであり、血圧に基づいてリスク解析を行なうことは、たとえば脳卒中や心不全や心筋梗塞などの心血管系の疾患の予防に有効である。特に、早朝に血圧が上昇する早朝高血圧は心臓病や脳卒中などに関係している。さらに、早朝高血圧の中でも、モーニングサージと呼ばれる起床後１時間から１時間半ぐらいの間に急激に血圧が上昇する症状は、脳卒中との因果関係があることが判明している。そこで、時間（生活習慣）と血圧変化との相互関係を把握することが、心血管系の疾患のリスク解析に有用である。従って、長期間にわたり、連続的に血圧測定することが必要となってきている。
【０００３】
また近年の研究成果により、病院や健康診断時に測定する血圧（随時血圧）よりも、家庭で測定した血圧（家庭血圧）の方が、より心血管系疾患の予防・診断・治療に有効であることが判明している。これに伴い、家庭向け血圧計が広く普及し、家庭血圧値を診断に使用する動きも始まっている。
【０００４】
一般的な血圧計として、測定時、カフ（流体袋）を内包した腕帯を測定部位（上腕等）に装着した上で圧迫して血管を閉鎖し、その後、徐々に排気しながら減圧過程で血圧を測定するタイプがある。このタイプの血圧計を用いて血圧測定をする場合には、血管を閉鎖するまで加圧する必要がある。
【０００５】
自動で測定を行なう電子血圧計では、加圧する圧力が自動的に決定されるものが存在する。しかしながら、不整脈や体動などの外因により適切な加圧がなされない場合がある。そこで、電子血圧計の中には、追加的に、操作者の操作に基づいて加圧力を決定する機能が搭載されているものもある。たとえば、実開平２−１５１０５号公報は、空気流路に加圧球を接続し、カフを自動で加圧／減圧する自動計測モードの他に、加圧球によって手動式にカフを加圧／減圧できる手動計測モードを備えた自動血圧計を開示している。
【先行技術文献】
【特許文献】
【０００６】
【特許文献１】実開平２−１５１０５号公報
【発明の概要】
【発明が解決しようとする課題】
【０００７】
しかしながら、自動で加圧される制御モードから操作者の操作に基づいて加圧力が決定される制御モードへの切り替わりに操作者が気付かないと、操作者から加圧力を決定するための適切な操作がなされない。そのため、適切な加圧がなされず、過剰に加圧されたり、加圧力が少なかったりし、血圧測定が失敗する場合もある、という問題がある。
【０００８】
本発明はこのような問題に鑑みてなされたものであって、操作者の使い勝手のよい電子血圧計を提供することを目的としている。
【課題を解決するための手段】
【０００９】
上記目的を達成するために、本発明のある局面に従うと、電子血圧計は、操作を受け付けるための操作手段と、流体袋と、流体袋を加減圧するための調整手段と、流体袋の内圧変化に基づいて血圧値を算出する演算を行なうための演算手段と、報知手段と、調整手段と調整手段で流体袋を加減圧しているときの報知手段での報知とを制御するための制御手段とを備え、制御手段は、調整手段での流体袋の加圧を制御するための制御モードとして第１の制御モードと第２の制御モードとを有して選択的にいずれか一方の制御モードで調整手段での加圧を制御し、制御手段は、第１の制御モードと第２の制御モードとのうちの少なくとも一方の制御モードについて、当該制御モードで調整手段での加圧を制御している際にその旨を報知手段で報知させる。
【００１０】
好ましくは、第１の制御モードは、操作手段で動作開始の操作を受け付けることによって調整手段で自動的に予め規定された圧力まで第１の加圧速度で流体袋の内圧を加圧させる制御モードであり、第２の制御モードは、調整手段で操作手段で受け付けた操作によって指定される圧力まで第２の加圧速度で流体袋の内圧を加圧させる制御モードである。
【００１１】
好ましくは、制御手段は、第２の制御モードで調整手段での加圧を制御している際にその旨を報知手段で報知させる。
【００１２】
または、好ましくは、制御手段は、第２の制御モードで調整手段での加圧を制御している際に、その旨と共に、記憶されている圧力値を推奨する圧力値として報知手段で報知させる。
【００１３】
好ましくは、第２の加圧速度は第１の加圧速度よりも遅い。
または、好ましくは、第２の加圧速度は第１の加圧速度よりも速い。
【００１４】
好ましくは、制御手段は、調整手段での加圧が第１の制御モードで制御された流体袋の内圧変化に基づいて演算手段での血圧値の算出がエラーであったときに、次回の制御モードとして第２の制御モードを記憶する。
【発明の効果】
【００１５】
この発明にかかる電子血圧計は、操作者の使い勝手を向上させることができる。
【図面の簡単な説明】
【００１６】
【図１】実施の形態にかかる血圧計の外観の具体例を示す図である。
【図２】実施の形態にかかる血圧計の構成の具体例を示すブロック図である。
【図３】実施の形態にかかる血圧計での動作の具体例を示すフローチャートである。
【図４】表示画面の具体例を示す図である。
【図５】表示画面の具体例を示す図である。
【発明を実施するための形態】
【００１７】
以下に、図面を参照しつつ、本発明の実施の形態について説明する。以下の説明では、同一の部品および構成要素には同一の符号を付してある。それらの名称および機能も同じである。
【００１８】
図１を参照して、実施の形態にかかる電子血圧計（以下、血圧計と略する）１は、空気袋であるカフ５と本体部２とを含み、これらがエアチューブ１０で接続されている。本体部２の正面には表示部４と操作部３とが配される。操作部３は、電源のＯＮ／ＯＦＦ、測定動作の開始／停止などの操作に用いられるためのスイッチ３１と、被測定者を選択する操作に用いられるためのスイッチ３２とを含む。
【００１９】
血圧計１における測定では、測定動作が開始するとカフ５が加圧され、カフ５が装着された上腕等の測定部位が圧迫される。カフ５の内圧が被測定者の最高血圧以上である所定の圧力まで加圧がなされた後、カフ５の内圧が徐々に減圧され、その過程においてカフ５の内圧変化に基づいて被測定者の血圧値が算出される。
【００２０】
血圧計１では、上述のカフ５の内圧を加圧する過程において、予め規定されている圧力まで予め規定されている加圧速度で自動的に加圧する制御と、スイッチ３１の操作に応じて、該操作に従った圧力まで予め規定されている加圧速度で加圧する制御との、２種類の制御が選択的に行なわれる。以降の説明において、加圧過程の前者の制御モードを「自動加圧モード」、後者の制御モードを「手動加圧モード」とも称する。
【００２１】
電力が供給されていない状態において血圧計１のスイッチ３１が押下（短押し）されると、血圧計１に電力が供給されて測定動作可能な状態に起動する。その状態でスイッチ３１が再度押下（短押し）されると、血圧計１では制御モードを自動加圧モードとしてカフ５の加圧が開始される。その加圧の過程において血圧計１のスイッチ３１が所定時間以上連続して押下（長押し）された時点で、加圧過程の制御モードが自動加圧モードから手動加圧モードに切り替わり、スイッチ３１が押下されている間、手動加圧モードに応じた加圧速度でカフ５の内圧が加圧される。そして、スイッチ３１が開放された時点でカフ５の加圧が終了し、減圧過程に移行する。その後の測定動作が終了すると、血圧計１は自動的に電源がＯＦＦされる。
【００２２】
自動加圧モードでの加圧の過程において、操作者が意図せずスイッチ３１を長押してしまった場合、スイッチ３１の開放後に減圧過程となり、その後の測定動作の終了で電源がＯＦＦされる。このとき、操作者が手動加圧モードであることに気付かないと、意図せず減圧過程となってその後に電源がＯＦＦされてしまい、加圧が十分でないときには適切な血圧値が算出されないまま一連の動作が終了してしまうことになる。つまり、加圧過程の制御モードが手動加圧モードに切り替わっていることが操作者から確認できないと、非常に使い勝手の悪いものとなる。そこで、血圧計１は、加圧過程の制御モードが手動加圧モードの場合、少なくともその旨を報知する機能を有する。
【００２３】
図２を参照して、血圧計１の本体部２には、カフ５とエアチューブ１０で接続される圧力センサ２３、ポンプ２１、および弁２２が含まれる。圧力センサ２３は発振回路２４に接続される。ポンプ２１は駆動回路２６に接続され、弁２２は駆動回路２７に接続される。
【００２４】
発振回路２４、駆動回路２６、および駆動回路２７は、血圧計１全体を制御するためのＣＰＵ（Central  Processing  Unit）４０に接続される。ＣＰＵ４０には、さらに、表示部４と、操作部３と、処理用のメモリ６と、記録用のメモリ７と、電源２５とが接続される。処理用のメモリ６は、ＣＰＵ４０で実行される制御プログラムなどを記憶する。さらに、処理用のメモリ６は、ＣＰＵ４０がプログラムを実行する際の作業領域ともなる。
【００２５】
ＣＰＵ４０は、電源２５から電力供給を受けて駆動する。ＣＰＵ４０は、操作部３から入力される操作信号に基づいてメモリ６に記憶されている所定のプログラムを実行し、駆動回路２６および駆動回路２７に制御信号を出力する。駆動回路２６および駆動回路２７は、制御信号に従ってポンプ２１および弁２２を駆動させる。ポンプ２１は、ＣＰＵ４０からの制御信号に従った駆動回路２６によって駆動が制御されて、カフ５内に空気を注入する。弁２２は、ＣＰＵ４０からの制御信号に従った駆動回路２７によってその開閉が制御されて、カフ５内の空気を排出する。
【００２６】
圧力センサ２３は静電容量形の圧力センサであり、カフ５の内圧変化により容量値が変化する。発振回路２４は、圧力センサ２３の容量値に応じた発振周波数の信号をＣＰＵ４０に入力する。ＣＰＵ４０は、圧力センサ２３から得られたカフ５の内圧変化に基づいて所定の処理を実行し、その結果に応じて駆動回路２６および駆動回路２７に上記制御信号を出力する。また、ＣＰＵ４０は、圧力センサ２３から得られたカフ５の内圧変化に基づいて血圧値を算出し、測定結果を表示部４に表示させるための処理を行ない、表示させるためのデータと制御信号とを表示部４に出力する。また、ＣＰＵ４０は、血圧値をメモリ７に記憶させるための処理を行なう。
【００２７】
ＣＰＵ４０は、第１加圧制御部４１、第２加圧制御部４２、およびモード切替部４３を含む。これらは、ＣＰＵ４０が操作部３からの操作信号に従ってメモリ６に記憶される上記制御プログラムを読み出して実行することで、主にＣＰＵ４０に形成される機能であるが、少なくともこれら機能のうちの一部が、図１に示されたハードウェア構成で形成されてもよい。
【００２８】
第１加圧制御部４１および第２加圧制御部４２は上述のカフ５の加圧過程での制御のための機能であって、第１加圧制御部４１は上述の自動加圧モードでの制御、第２加圧制御部４２は手動加圧モードでの制御のための機能である。モード切替部４３は現在の制御モードを記憶し、スイッチ３１からの操作信号と現在の制御モードとに基づいて加圧過程の制御モードを決定し、必要に応じて現在の制御モードを切り替える。すなわち、自動加圧モードでの加圧を開始する際には第１加圧制御部４１に対して信号を出力し、自動加圧モードでの制御を開始させる。自動加圧モードでの制御中にスイッチ３１から入力される操作信号に基づいて長押しされていることを検出すると手動加圧モードに切り替えると判断し、第２加圧制御部４２に対して信号を出力して、手動加圧モードでの制御を開始させる。これと共に、モード切替部４３は表示部４に対して信号を出力して、表示部４に手動加圧モードである旨を表示させる。第１加圧制御部４１および第２加圧制御部４２はモード切替部４３から上述の信号を受信すると、必要な制御用プログラムをメモリ６から読み出して実行する。
【００２９】
図３、図４および図５を用いて、血圧計１の動作と表示画面とを説明する。図３のフローチャートに示される動作は、スイッチ３１が押下されてＣＰＵ４０に電源２５から電力が供給され、処理用のメモリ６に記憶される制御プログラムを読み出して図１、図２に示される各部を制御することによって実現される。
【００３０】
図３を参照して、動作が開始するとＣＰＵ４０はステップＳ１０１で各部を初期化した後、ステップＳ１０３でカフ５の加圧を開始する。このとき、モード切替部４３は加圧過程の制御モードをデフォルトのモードである自動加圧モードと決定し、動作させるための信号を第１加圧制御部４１に対して出力する。該信号に従って第１加圧制御部４１が加圧動作を制御することによってＣＰＵ４０から駆動回路２６に対して制御信号が出力されて、予め規定されている所定の加圧速度でカフ５が加圧される。
【００３１】
さらに、第１加圧制御部４１での制御プログラムの実行に従って、ＣＰＵ４０は表示部４に対して発振回路２４を通して入力されたカフ５の内圧を示す信号を出力し、表示のための制御信号を出力する。これにより、自動加圧モードでの加圧過程において表示部４には図４に示されるような画面が表示される。すなわち、図４を参照して、表示画面の測定結果表示時には最高血圧値を表示する領域Ａ１に現在のカフ５の内圧が表示され、最低血圧値を表示する領域Ａ２には何も表示されず、領域Ａ１，Ａ２の横の、目盛が刻まれた領域Ａ３にはカフ５の内圧変化がセグメント表示される。好ましくは、領域Ａ１，Ａ２では、血圧値の表示に用いるための数字用のセグメントが用いられてカフ５の内圧が表示される。このようにすることにより、新たな表示領域を必要とすることなく、ひいては血圧計１の大型化を抑えることができる。
【００３２】
カフ５の加圧の過程においてスイッチ３１が押下されたことが検出され、かつその押下が予め規定された時間以上連続する長押しであると検出されると（Ｓ１０５でＹＥＳ、かつＳ１０７でＹＥＳ）、ステップＳ１０９でモード切替部４３は、加圧過程の制御モードを現在の自動加圧モードから手動加圧モードに切り替えると判断し、動作させるための信号を第２加圧制御部４２に対して出力する。これと共に、モード切替部４３は、自動加圧モードの表示をさせるための信号を表示部４に対して出力する。該信号に従って第２加圧制御部４２が加圧動作を制御することによってＣＰＵ４０から駆動回路２６に対して制御信号が出力されて、予め規定されている所定の加圧速度でカフ５が加圧される。
【００３３】
さらに、第２加圧制御部４２での制御プログラムの実行に従って、ＣＰＵ４０は表示部４に対して発振回路２４を通して入力されたカフ５の内圧を示す信号を出力し、表示のための制御信号を出力する。これにより、手動加圧モードでの加圧過程において表示部４には図５（Ａ）〜図５（Ｃ）に示されるような画面が表示される。すなわち、図５（Ａ）を参照して、表示画面の領域Ａ１には、自動加圧モードのときの同様に現在のカフ５の内圧が表示される。それと共に、モード切替部４３からの信号に基づいて、表示画面の領域Ａ２に、現在の制御モードが手動加圧モードであることを示すマークが表示される。図５（Ａ）の例では、領域Ａ２の最低血圧値の表示に用いるための数字用のセグメントの一部を点灯すること表わされるマークによって手動加圧モードであることを示している。
【００３４】
第２加圧制御部４２は制御プログラムの実行に従って、ＣＰＵ４０はスイッチ３１から入力される操作信号を監視し、その入力の終了、すなわちスイッチ３１の開放を検出する。ＣＰＵ４０がスイッチ３１の開放を検出すると（ステップＳ１１１でＹＥＳ）、ステップＳ１１７で第２加圧制御部４２は加圧制御を終了し、ステップＳ１１９でＣＰＵ４０がカフ５の減圧を開始する。スイッチ３１が開放されるまでの間、つまりスイッチ３１が長押しされている間は（ステップＳ１１１でＮＯ）、ステップＳ１０９のカフ５の加圧が継続される。
【００３５】
手動加圧モードの加圧が継続中、表示部４の表示では、図５（Ａ），図５（Ｂ），図５（Ｃ）に示されるように、領域Ａ１に表示されるカフ５の内圧が増加し、領域Ａ３に表示される内圧変化を表わすセグメント点灯が増加すると共に、好ましくは、領域Ａ２に表示される手動加圧モードであることを示すマークが加圧を表わすように変化する。具体的には、手動加圧モードであることを示すマークは最低血圧値の表示に用いるための１つの数字用のセグメントのうちの３つの横棒が用いられる。加圧時に、下から順に点灯する横棒が増加しすべて点灯したら再度下１つの点灯に戻った後に下から順に点灯することを繰り返すことで、カフ５の加圧を表わす。
【００３６】
操作者は、図５（Ａ）〜図５（Ｃ）の領域Ａ１に表示される現在のカフ５の内圧を確認しながら、所望の圧力に達した時点でスイッチ３１を開放することで、その圧力までのカフ５の加圧を指示する。そこで、好ましくは、手動加圧モードでの加圧速度は、予め自動加圧モードでの加圧速度よりも遅く設定されている。このように設定されることにより、操作者は所望の圧力に達することを確実に確認することができ、所望の圧力までカフ５の内圧を加圧することができる。
【００３７】
または、手動加圧モードでの加圧速度が、予め自動加圧モードでの加圧速度よりも速く設定されていてもよい。このように設定されることにより、カフ５の加圧を早く終了させることができ、測定動作全体に要する時間を早めることができる。さらに、手動加圧モードでの加圧速度が予め自動加圧モードでの加圧速度よりも速く設定されている場合、より好ましくは、カフ５の内圧が所定圧力に達した付近から加圧速度を遅くするよう２段階の加圧速度が設定されている。上記所定圧力は、たとえば、一般的な最高加圧付近の圧力として予め記憶されている圧力としてもよいし、前回の当該被測定者の測定時にカフ５を加圧した圧力を記憶しておくことでその圧力付近の圧力としてもよいし、加圧過程において被測定者の最高血圧値を予測しその値に所定圧力（たとえば４０mmHg等）を加えた圧力付近の圧力としてもよい。そのようにすることで、操作者は所望の圧力に達することを確実に確認することができ、カフ５の加圧を早めつつ、所望の圧力までカフ５の内圧を加圧することができる。
【００３８】
さらに、より好ましくは、ＣＰＵ４０は、手動加圧モードでの加圧中、表示部４にその旨の表示に加えて、予め記憶されている圧力を推奨する圧力値として表示させる。推奨する圧力値としては、たとえば前回の当該被測定者の測定時にカフ５を加圧した圧力を記憶しておくことでその圧力値を用いてもよいし、加圧過程において被測定者の最高血圧値を予測しその値に予め記憶されている所定圧力（たとえば４０mmHg等）を加えた圧力値であってもよいし、一般的な最高加圧付近の圧力として予め記憶されている圧力値であってもよい。
【００３９】
ステップＳ１０３で自動加圧モードでのカフ５の加圧が開始した後、スイッチ３１の押下が検出されない場合には（ステップＳ１０５でＮＯ）、カフ５の内圧が予め規定されている所定の圧力に達するまで第１加圧制御部４１による自動加圧モードでの加圧制御が継続される（ステップＳ１１３）。カフ５の内圧が上記所定の圧力に達すると（ステップＳ１１５でＹＥＳ）、ステップＳ１１７で第１加圧制御部４１は加圧制御を終了し、ステップＳ１１９でＣＰＵ４０がカフ５の減圧を開始する。
【００４０】
ステップＳ１１９でカフ５の減圧が開始すると、ステップＳ１２１でＣＰＵ４０は減圧中に得られるカフ５の内圧に重畳した動脈の容積変化に伴う振動成分を抽出し、所定の演算により血圧値を算出する。ステップＳ１２１の算出処理において血圧値が決定されると（ステップＳ１２３でＹＥＳ）、ステップＳ１２５でＣＰＵ４０は算出された最高血圧値および最低血圧値を測定結果として表示部４で表示するための処理を行なう。さらにステップＳ１２７で、ＣＰＵ４０は駆動回路２６，２７に制御信号を出力してカフ５内の圧力を大気圧に開放する。
【００４１】
好ましくは、ＣＰＵ４０は所定の時間内に血圧値が決定されたか否かを監視し、カフ５の内圧が不足している等により所定の時間内に決定されなかった場合、測定エラーを返してもよい。この場合、モード切替部４３は、たとえば現在の動作モードを記憶する領域に、当該被測定者における次回の加圧制御モードとして手動加圧モードを記憶しておいてもよい。このようにしておき、モード切替部４３は、次回、当該被測定者について測定動作が実行される際にデフォルトの加圧制御モードとして手動加圧モードを決定してもよいし、表示部４に推奨する制御モードとして手動加圧モードでの測定を促す表示をさせてもよい。
【００４２】
なお、上記ステップＳ１０３で自動加圧モードでのカフ５の加圧が開始した後、スイッチ３１が押下されたことが検出され、かつその押下が予め規定された時間よりも短い短押しであると検出されると（Ｓ１０５でＹＥＳ、かつＳ１０７でＮＯ）、ＣＰＵ４０は測定動作を終了すると判断し、ステップＳ１２７で駆動回路２６，２７に制御信号を出力してカフ５内の圧力を大気圧に開放する。
【００４３】
カフ５内の圧力が大気圧に開放されることにより一連の動作が終了し、自動的に電源２５からの電力の供給が遮断されて電源がＯＦＦされる。
【００４４】
なお、上の例では加圧制御モードのうちの手動加圧モードのみが表示されるものとしているが、両モードとも表示されるようにしてもよい。また、具体例として血圧値を表示するための数字用のセグメントの一部を点灯させる例が示されているが、加圧制御モードを提示するための表示領域をさらに設けてもよいし、画面の背景色を変えるなどの表示態様を変化させてもよいし、たとえばランプを設けたり音声出力したりするなど、表示部４での表示とは異なる方法で制御モードを報知してもよい。
【００４５】
このように、血圧計１では、カフ５の加圧のための制御モードとして手動加圧モードが選択的に実行されている時にその旨が報知される。それにより、操作者は現在の加圧の制御モードが手動加圧モードであるか自動加圧モードであるかを把握することができる。
【００４６】
血圧計では小型化を図るために操作スイッチの数を減らし、１つのスイッチを複数の操作に用いるように設計されることがある。特に図１に例示されたように、１つのスイッチで測定の開始を指示するための操作と、自動加圧モードから手動加圧モードに切り替えるための操作との両操作が可能に設計されている場合、上述のように、操作者は意図せずに自動加圧モードから手動加圧モードに切り替えてしまう場合も有り得る。そういった場合であっても、血圧計１では表示部４から現在の加圧制御モードが視認されるために操作者はカフ５の加圧のための圧力を適切に指示することが可能となり、測定動作を継続させることができる。つまり、現在の加圧制御モードを報知することで、特に、加圧制御モードを切り替えるためのスイッチが備えられておらず他の操作のためのスイッチと兼用されている血圧計において、操作者の使い勝手を向上させることができる。
【００４７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００４８】
１  血圧計、２  本体部、３  操作部、４  表示部、５  カフ、６，７  メモリ、１０  エアチューブ、２１  ポンプ、２２  弁、２３  圧力センサ、２４  発振回路、２５  電源、２６，２７  駆動回路、３１，３２  スイッチ、４０  ＣＰＵ、４１  第１加圧制御部、４２  第２加圧制御部、４３  モード切替部。
【図２】
2011101735.tif 000003
【図３】
2011101735.tif 000004
【図１】
2011101735.tif 000005
【図４】
2011101735.tif 000006
【図５】
2011101735.tif 000007